(57)【要約】【課題】ディスプレイを左右水平方向へ回動し又はチルト方向へ可動する構造を簡単な電動機構によって低コストで実現するようにしたディスプレイ用電動回転機構を提供する。【解決手段】台座３に立設固定したスタンド支柱６にディスプレイ１を装設してなる構成において、スタンド支柱６内にて、ディスプレイ１を支持する回転軸８をベアリング７ａ、７ａで回動自在に支承すると共に電動モータ１２の駆動軸に結合したピニオン１３と回転軸８に結合された大径ギア１４とを歯合してなる水平回転機構２を構成することにより、ディスプレイ１を水平方向に回転可能にした。また、支持枠２２に固設された減速機３０に電動モータ３１を接続し、該減速機の駆動軸に結合された回転アーム３２と支持プレート２６に回動自在に結合された連結アーム３３とを軸３４で回動自在に結合したことにより、ディスプレイ１をチルト方向に可動可能にした。【選択図】図４
2004304679.tif 000002
【特許請求の範囲】
【請求項１】
台座に立設固定したスタンド支柱にディスプレイを装設してなる構成において、前記スタンド支柱内にて、前記ディスプレイを支持する回転軸をベアリングで回動自在に支承すると共に電動モータの駆動軸に結合したピニオンと前記回転軸に結合された大径ギアとを歯合してなる水平回転機構を構成することにより、前記ディスプレイを水平方向に回転可能にしたことを特徴とするディスプレイ用電動回転機構。
【請求項２】
前記ディスプレイの回転軸に結合された大径ギアは、前記支柱内に収まる円弧形ギアであることを特徴とする請求項１記載のディスプレイ用電動回転機構。
【請求項３】
前記スタンド支柱の上部に設けられ部材であって前記回転軸の周方向に円弧形に形成された所定半径の案内溝に、前記ディスプレイの背面に固設された支持プレートの下部に突出する回転軸ストッパを係合して該回転軸ストッパが移動可能な範囲に前記ディスプレイの水平方向の回転角度を制限するようにしたことを特徴とする請求項１又は２記載のディスプレイ用電動回転機構。
【請求項４】
前記回転軸の周囲の所定位置に設けられた位置検出器の検出信号により、前記ディスプレイの回転軸の水平方向への回転角度を制御するようにしたことを特徴とする請求項１、２又は３記載のディスプレイ用電動回転機構。
【請求項５】
前記スタンド支柱から上方に突出した前記ディスプレイの回転軸の上部を支持枠に固定すると共に、該支持枠の左右に固設された軸受に前記ディスプレイの背面に固設された支持プレートの左右の支持アームを回動自在に軸支すると共に、前記支持枠に固設された減速機に電動モータを接続し、該減速機の駆動軸に結合された回転アームと前記支持プレートに回動自在に結合された連結アームとを軸で回動自在に結合したことにより、前記ディスプレイをチルト方向に可動可能にしたことを特徴とする請求項１、２、３又は４記載のディスプレイ用電動回転機構。
【請求項６】
前記回転アームの周囲の所定位置に設けられた位置検出器の検出信号により、前記ディスプレイのチルト方向への可動角度を制御するようにしたことを特徴とする請求項１、２、３、４又は５記載のディスプレイ用電動回転機構。
【発明の詳細な説明】
【０００１】
【発明の属する技術分野】
本発明は、液晶テレビ、プラズマテレビ等又はその他の表示物を含むディスプレイを簡単な電動機構によって左右水平方向へ回動可能にし、又はチルト方向へ可動可能にしたディスプレイ用電動回転機構に関するものである。
【０００２】
【従来の技術】
近年になって大画面のテレビがショールーム等に設置されるほか、一般家庭においても普及しつつある。このような大画面のテレビは、液晶テレビ又はプラズマテレビ等の開発及び進歩によって薄型化、省電力化及び低価格化等がさらに実現されることにより、普及率を増すものと思われる。
【０００３】
ところで、大画面テレビの画面の方向を変えることは、画面を正常な視角方向で見ることによって画面を見やすくしたり、目を保護する上でも必要である。このためには、画面を左右水平方向或はチルト方向に可動させることによって、所望の画面角度を得るようにする。
【０００４】
上記のような大画面テレビを左右方向に回転するようにした従来技術としては、特許文献１に記載の発明がある。この発明は、図１３に示すように、マルチビジョン本体５１の下面を多数のキャスター５７で支持し、かつマルチビジョン本体５１の回転中心に位置する回転軸５９を固定台５４に設けた回転軸受６０で支承するようにしたものである。
【０００５】
このような構成において、マルチビジョン本体５１の重力は多数のキャスター５７で支持されているため、水平方向に平面的に移動でき、回転軸５９と回転軸受６０により固定台５４に回転中心が位置決めされるため、マルチビジョン本体５１はキャスター５７に回動可能に支持され、回転軸５９を中心としてマルチビジョン本体５１の外側を押すことにより容易に回転することができる。
【０００６】
一方、画面をチルト方向に可動可能にした従来技術としては特許文献２に記載の発明がある。この発明は、図１４に示すように、上面に凹球面６１を有しその中心に回転軸６２を立設した台座６３と凹球面６１上に載る凸球面６４を有し、かつ回転軸６２が嵌合されるガイド用長穴６５を備えた回転台６６との組合せからなる。そして、回転台６６が台座６３に対して左右方向及び上下方向に首振り運動可能に回転ストッパ用リブ６７を突設すると共に、台座６３にリブ６７が嵌り込むことによって所定角度回動し得る扇形状の凹型溝６８を回転軸６２を中心にその両側に配置したものである。
【０００７】
このような構成による回転角ストッパ機構付チルトスタンド６９は、台座６３に設けられた凹型溝６８と回転台６６のガイド用長穴６５の下面に設けられたリブ６７との嵌合によるものであり、回転台６６のリブ６７を台座６３の凹型溝６８の範囲内で回動調整可能としたものである。
【０００８】
【特許文献１】
特開平５−１７６２６２号公報（第１頁、図２）
【特許文献２】
特開平６−１８９２２９号公報（第２頁、図１）
【０００９】
【発明が解決しようとする課題】
ところで、特許文献１の発明は、マルチビジョン本体の重力をキャスターで支持することにより、該マルチビジョン本体を台上に回転可能にしたものであるが、このための回転動作は手動で行うものであり、電動力によるものでないため、大画面テレビを手動で回転するには労力を要するものである。
【００１０】
また、特許文献２の発明は、回転台が上記円形台座に対して左右方向及び上下方向に首振り運動可能に回転ストッパ用リブを突設したものであるが、特許文献１と同様に、左右方向及び上下方向に首振り運動を手動によって行うものであり、電動力によるものでないため、大画面テレビを手動で回転するには労力を要するものである。
【００１１】
このように大画面テレビ、特に近年において普及しつつある液晶テレビ又はプラズマテレビにおいては、画面が大画面になるほどこの画面を所定角度に調整する機構が必要になり、利用範囲も広がるものである。ところが、大画面であるだけに、手動で回動するのに労力を要し、また設置場所によっては遠隔操作が不可欠となるため、このような回転構造を電動機構によって構成する必要が生じる。
【００１２】
本発明は、上記のような従来の問題点を解消するためになされたもので、液晶テレビ、プラズマテレビ等又はその他の表示物を含むディスプレイの左右水平方向への回動又はチルト方向への可動を簡単な電動機構によって低コストで実現するようにしたディスプレイ用電動回転機構を提供することを目的とする。
【００１３】
【課題を解決するための手段】
上記の目的を達成するために、本発明における請求項１のディスプレイ用電動回転機構は、台座に立設固定したスタンド支柱にディスプレイを装設してなる構成において、前記スタンド支柱内にて、前記ディスプレイを支持する回転軸をベアリングで回動自在に支承すると共に電動モータの駆動軸に結合したピニオンと前記回転軸に結合された大径ギアとを歯合してなる水平回転機構を構成することにより、前記ディスプレイを水平方向に回転可能にしたことを特徴とする。
【００１４】
また、本発明における請求項２のディスプレイ用電動回転機構は、請求項１において、前記ディスプレイの回転軸に結合された大径ギアは、前記支柱内に収まる円弧形ギアであることを特徴とする。
【００１５】
また、本発明における請求項３のディスプレイ用電動回転機構は、請求項１又は２において、前記スタンド支柱の上部に設けられ部材であって前記回転軸の周方向に円弧形に形成された所定半径の案内溝に、前記ディスプレイの背面に固設された支持プレートの下部に突出する回転軸ストッパを係合して該回転軸ストッパが移動可能な範囲に前記ディスプレイの水平方向の回転角度を制限するようにしたことを特徴とする。
【００１６】
また、本発明における請求項４のディスプレイ用電動回転機構は、請求項１、２又は３において、前記回転軸の周囲の所定位置に設けられた位置検出器の検出信号により、前記ディスプレイの回転軸の水平方向への回転角度を制御するようにしたことを特徴とする。
【００１７】
また、本発明における請求項５のディスプレイ用電動回転機構は、請求項１、２、３又は４において、前記スタンド支柱から上方に突出した前記ディスプレイの回転軸の上部を支持枠に固定すると共に、該支持枠の左右に固設された軸受に前記ディスプレイの背面に固設された支持プレートの左右の支持アームを回動自在に軸支すると共に、前記支持枠に固設された減速機に電動モータを接続し、該減速機の駆動軸に結合された回転アームと前記支持プレートに回動自在に結合された連結アームとを軸で回動自在に結合したことにより、前記ディスプレイをチルト方向に可動可能にしたことを特徴とする。
【００１８】
さらに、本発明における請求項６のディスプレイ用電動回転機構は、請求項１、２、３、４又は５において、前記回転アームの周囲の所定位置に設けられた位置検出器の検出信号により、前記ディスプレイのチルト方向への可動角度を制御するようにしたことを特徴とする。
【００１９】
【発明の実施の形態】
以下、本発明の実施例について図面を参照しながら説明する。
【００２０】
図１は、本発明による液晶テレビ又はプラズマテレビ等のディスプレイ１の電動回転機構における水平回転機構２を内蔵したスタンド支柱６とチルト方向への回動機構４（「チルト機構」と略称する）を有するディスプレイ１を後方側から見た斜視図である。
【００２１】
本実施例において、水平回転機構２とチルト機構４とを備えたディスプレイ１は、図１に示すように、例えばＨ型の平面形状を有する台座３（図３参照）の中央部に不図示のネジ等によって立設するように固定されたスタンド支柱６によってディスプレイ１を台座３の上方に支持し、スタンド支柱６の内部に組み込まれた水平回転機構２によってディスプレイ１を左右水平方向へ回転し（図３参照）、チルト機構４によってディスプレイ１をチルト方向へ可動する（図８参照）ようにしている。
【００２２】
このような構成のうち、まず、本発明によるディスプレイ１の水平回転機構２について説明すると、図４（ａ）及び（ｂ）に示すように、水平回転機構２はスタンド支柱６内に内蔵されている。このスタンド支柱６の内部は空洞状に形成され、上端に軸受枠５を固設することによって内部を閉塞するようにしている。
【００２３】
即ち、図４において、スタンド支柱６の周部には貫通孔１７、１７…が要部に形成され、スタンド支柱６の上端に固定すべき軸受枠５（図５（ａ）及び（ｂ）参照）の対応位置に貫通孔５ａ、５ａ…が形成されると共に、軸受枠５の外形をスタンド支柱６の外形と一致させたものとしている。そして、軸受枠５をスタンド支柱６の上端に合致して軸受枠５の貫通孔５ａ、５ａ…に長ネジ１８、１８…を挿通すると共にスタンド支柱６の貫通孔１７、１７…に通してナット１８ａ、１８ａ…で固定する。
【００２４】
また、図５（ａ）及び（ｂ）に示すように、軸受枠５の中心には軸受穴５ｂが形成され、該軸受穴５ｂの途中の上下に形成された内周段部６ａ、６ｂに図４（ｂ）に示すようにベアリング７ａ、７ｂを設け、この上下のベアリング７ａ、７ｂにディスプレイ１を支持する回転軸８を回動自在に支承する。
【００２５】
上記のようにディスプレイ１を回転軸８で支持する構成は、図４（ｂ）に示すように、軸受枠５から上方へ突出させた回転軸８の上部を支持枠２２に対して固定金具８ｂとネジ８ｃを用いて固定すると共に、図１に示すように、支持枠２２の左右に固設された軸受２５にディスプレイ１の背面に固設された支持プレート２６の左右の支持アーム２７、２７を回動自在に軸支して成るものである。
【００２６】
さらに、図４（ａ）及び（ｂ）に示すように、スタンド支柱６の内部には、その下部にネジ１２ａ、１２ａで固設された電動モータ１２の駆動軸１１に結合したピニオン１３と回転軸８の下端部に結合されると共にナット８ｄで固定された大径ギア１４とを歯合した構成がなされている。このような構成により、電動モータ１２を駆動すると、回転軸８が回転し、支持枠２２の回転によってディスプレイ１が水平方向へ回転する。
【００２７】
なお、電動モータ１２としてはステッピングモータを使用するのが好ましい。それによって、静音、低振動を実現し得るほか、正確な回転角度を得ることができ、さらには回転中に液晶画面が壁に当たるとか、人の手が触れるとかの過大負荷によって駆動中のモータが停止するため、安全性を確保し得る動力源として使用することができる。
【００２８】
また、上記の回転軸８に結合された大径ギア１４は、スタンド支柱６内に収まる形状の円弧形ギアであり、後述するようにディスプレイ１に要求される制限された回転角度内での円弧長を有する。
【００２９】
このような水平回転機構２において、上記のようにスタンド支柱６の上部に固定された軸受枠５における回転軸８の周方向に円弧形に案内溝９が所定半径で形成されている。この案内溝９は、回転軸８を挟んで反対位置に対をなして設けられている。そして、ディスプレイ１の背面に固設された支持プレート２６の下部に対を成して設けられた回転軸ストッパ１０、１０を上記の案内溝９、９に対応し係合させることによって、回転軸ストッパ１０、１０が案内溝９、９の円弧長内で移動可能な範囲にてディスプレイ１の水平方向の回転角度（左右各方向へ角度α）を制限する。
【００３０】
このような構成によれば、電動モータ１２を駆動してディスプレイ１１を水平方向に回転する動作において、上記の回転軸ストッパ１０、１０が案内溝９、９の円弧長の範囲で停止されると、ステッピングモータ等の電動モータ１２における過電流の制御信号によって、該電動モータ１２を停止させることができる。
【００３１】
また、本発明においては、回転軸８の周囲の所定位置に設けられた位置検出器の検出信号により、ディスプレイ１の回転軸の水平方向への回転角度を制御する構成としてもよい。この位置検出器の例としては、図７に示すように、回転軸８の周囲の所定位置に回転角度αだけだけ離間して２個のリミットスイッチ１５、１５が固定され（この固定は、スタンド支柱６の上部に固定される軸受枠５の裏側の所定位置に成されている）、それらのリミットスイッチ１５、１５間に回転軸８の周部から外側に突出形成した突出片１６が設けられ、上記のように回転軸８が回転することによって突出片１６が各リミットスイッチ１５、１５をＯＮ・ＯＦＦすることにより、回転軸８の回転角度αを規定するようにしている。
【００３２】
そのため、支持枠２２等の余裕空間を有する箇所に電動モータ１２に接続された制御回路（不図示）が設けられ、リミットスイッチ１５のＯＮ・ＯＦＦ信号によって電動モータ１２を停止したり、停止後の反対方向への回動動作を指令したりする等、様々な制御を行うことを可能とするものである。
【００３３】
なお、本実施例の水平回転機構２における位置検出器として、上記のリミットスイッチのほかに、光スイッチ、磁気スイッチ、さらには他のメカスイッチ等を用いることも可能であり、さらに上記のように左右の回転限度位置に設けたリミットスイッチのほかに、その中間に光スイッチ（不図示）等を設け、回転軸８の回転位置を検出することによって、ディスプレイ１を正面位置に停止させることができる。
【００３４】
さらに、このような制御回路に遠隔コントローラ或は有線によるコントローラを設けることにより、離れた位置からの操作が可能となる。また、ＡＣアダプターを内蔵することによって、スタンド支柱６から電源コードを外方へ導くことによって、家庭用電源からの簡単な電源供給が可能となる。
【００３５】
さらに、本発明において、上記の水平回転機構は一定の速度で水平回転するが、大型ディスプレイの場合、ピニオン１３と大径ギヤ１４との歯合に設けられているクリアランスやその他の要因によってガタ付きが発生したり、回転軸８の一定速度回転に対して慣性モーメントが働くため、水平回転時に、所定の速度回転よりも速く回転するという現象が生じる。
【００３６】
これを解消するために、図６（ａ）及び（ｂ）に示すように、例えば、回転軸８の上部の大径部８ａの周囲の隙間２０に板バネ１９を挿着し、該板バネ１９が回転軸８の大径部８ａを押圧する力によって回転軸８の回転に制動力を与える構成とし、大型ディスプレイの慣性モーメントを制動する機構とすることができる。
【００３７】
次に、本発明のディスプレイ１等の電動回転機構において、チルト方向への回転機構（チルト機構４）を説明する。このチルト機構４は、上記のように、軸受枠５から上方へ突出させた回転軸８の上部を支持枠２２に対して固定金具８ｂとネジ８ｃを用いて固定すると共に、図１に示すように、支持枠２２の左右に固設された軸受２５、２５にディスプレイ１の背面に固設された支持プレート２６の左右の支持アーム２７、２７を回動自在に軸支して成る。
【００３８】
上記の支持枠２２は、図１に示すように、前後に補強用縁部２２ａを有し、その間において左右に軸受２５、２５（奥方の軸受２５は見えない位置にある）が固設されている。これらの軸受２５には、ディスプレイ１の背面の下部中央位置に多数のネジ２６ａで固定された支持プレート２６の左右に離間形成された支持アーム２７が回転軸２１を介することによって回動自在に支承されている。
【００３９】
このような構成において、各軸受２５には、図９に点線で示す形状の巻回バネ２８が設けられ、該巻回バネ２８の一端が軸受２５（図１参照）側に係止される一方、巻回バネ２８の他端が支持アーム２７に係止されたことによって、支持プレート２６を弾性的に中立位置に保つようにしている。従って、通常の状態においては、ディスプレイ１は、図９に示すように中立状態を保っている。
【００４０】
また、図１に示すように、支持枠２２に減速機フレーム２９が固設され、該減速機フレーム２９に内蔵された減速機３０に電動モータ３１が接続され、一方、減速機３０の駆動軸に結合された回転アーム３２と支持プレート２６に回動自在に結合された連結アーム３３とを軸３４で回動自在に結合している。この電動モータ３１としては、上記の水平回転機構２と同様の理由で、ステッピングモータを使用するのが好ましい。
【００４１】
また、この実施例におけるチルト機構４における位置検出器として、図１に示すように、回転アーム３２の周部に突出形成された突出片３５の回動方向に所定角度だけ離間して固設された２個のリミットスイッチ３６、３６が設けられ、回転アーム３２の回動により突出片３５がいずれかのリミットスイッチ３６、３６に当たることでＯＮ・ＯＦＦされることにより、前傾角度β１と後傾角度β２へ規制した状態でチルト方向への可動を可能としている。
【００４２】
なお、上記同様、このチルト機構４における位置検出器としても上記のリミットスイッチのほかに、光スイッチ、磁気スイッチ、さらには他のメカスイッチ等を用いることが可能である。さらに、リミットスイッチ３６、３６の中間に光スイッチ（不図示）等を設け、チルト機構４が正面を向いた位置を検出することによって、ディスプレイ１を正面位置に停止させることが可能となる。
【００４３】
このような構成によって、図９に示すようなディスプレイ１の中立状態から、前傾、又は後傾したいときは、図１０又は図１１に示すように、電動モータ３１を所定方向に回転駆動することにより、回転アーム３２と連結アーム３３を介して支持プレート２６を前傾方向（前傾角度β１）は又は後傾方向（後傾角度β２）へ倒し、これによってディスプレイ１をチルト方向へ所望角度だけ回動することができる。
【００４４】
なお、本発明によるディスプレイ１等の電動回転機構は、図１２（ａ）〜（ｄ）に示ように、その設置箇所を自由に設定することができる。即ち、図１２（ａ）は通常の立設状態であり、台座３を設置台４０等の上面に載置又は固定するようにしたものである。
【００４５】
図１２（ｂ）は、ディスプレイ１を天井面４１等に取り付ける場合であり、台座３を天井面４１にネジ等で固定し、スタンド支柱６を介してディスプレイ１を吊下げた状態にすることができる。
【００４６】
さらに、図１２（ｃ）は、ディスプレイ１を壁面４２等に取り付ける場合であり、図１２（ｄ）に示すように、壁面４２に固定したブラケット４３に台座３を固定し、台座３に固定したスタンド支柱６の上端にディスプレイ１の画面を取付けた構造とすることにより、水平回転機構２を駆動すると、ディスプレイ１を正面から見て横状態又は縦状態にすることが可能となる。なお、この場合、スタンド支柱６に対してチルト機構４を介さずに取付けることができる。
【００４７】
【発明の効果】
以上説明したように、本発明のディスプレイ用電動回転機構は、台座に立設固定したスタンド支柱にディスプレイを装設してなる構成において、スタンド支柱内に電動モータ及びギヤ歯合による水平回転機構を構成することにより、液晶テレビ、プラズマテレビ、他の展示物等のディスプレイを電動モータによって水平方向に回転可能にしたものである。
【００４８】
従って、ディスプレイの台座が薄型であってその内部に水平回転機構を組み込むことができないものであっても、スタンド支柱のみに水平回転機構を組み込むことができる本発明によって、台座を所望のデザインにすることができ、台座を含めたディスプレイのデザインを自由に創作することが可能になる。
【００４９】
また、本発明において、スタンド支柱の内部に構成した水平回転機構は、簡単な構成であって、低コストで実現することができる。
【００５０】
さらに、本発明の本発明のディスプレイ用電動回転機構におけるチルト機構によれば、液晶テレビ、プラズマテレビ、他の展示物等のディスプレイを電動モータによってチルト方向へ回動する機構を簡単な構成によって低コストで実現することができる。
【００５１】
また、本発明の構成によれば、位置検出器による検出信号により電動モータに対する制御が可能となり、所定角度の左右水平方向への回動或はチルト方向への可動を遠隔コントローラ或は有線によるコントローラによって操作することが可能となる。
【図面の簡単な説明】
【図１】本発明を液晶テレビに適用した実施例の後方斜視図である。
【図２】本発明を液晶テレビに適用した実施例を示す正面図である。
【図３】本発明を液晶テレビに適用した実施例を示す上面図である。
【図４】（ａ）は本発明の実施例の水平回転機構におけるスタンド支柱内の構造を示す水平断面図であり、（ｂ）は縦断面図である。
【図５】（ａ）は本発明の実施例の水平回転機構における軸受枠を示す上面図であり、（ｂ）はその縦断面図である。
【図６】（ａ）は本発明による他の実施例の水平回転機構における軸受枠を示す上面図であり、（ｂ）は（ａ）のＡ−Ａ矢示線断面図である。
【図７】本発明の実施例の水平回転機構における回転角度制御機構を説明するための上面図である。
【図８】本発明を液晶テレビに適用した実施例を示す側面図である。
【図９】本発明を液晶テレビに適用した実施例のチルト機構を示す側面図であり、液晶テレビが直立の状態を示す。
【図１０】本発明を液晶テレビに適用した実施例のチルト機構を示す側面図であり、液晶テレビが前傾の状態を示す。
【図１１】本発明を液晶テレビに適用した実施例のチルト機構を示す側面図であり、液晶テレビが後傾の状態を示す。
【図１２】（ａ）〜（ｃ）は、本発明を液晶テレビに適用した実施例の種々の取付状況を示す正面図であり、（ｄ）は（ｃ）の側面図である。
【図１３】画面を左右方向へ回転可能にした従来技術を示す部分断面正面図である。
【図１４】画面をチルト方向及び左右方向へ回転可能にした従来技術を示す分解斜視図である。
【符号の説明】
１…ディスプレイ
２…水平回転機構
３…台座
４…チルト機構
５…軸受枠
６…スタンド支柱
６ａ、６ｂ…内周段部
７ａ、７ｂ…ベアリング
８…回転軸
９…案内溝
１０…回転軸ストッパ
１１…駆動軸
１２…電動モータ
１３…ピニオン
１４…大径ギア
１５…リミットスイッチ
１６…突出片
１７…貫通孔
１８…長ネジ
１９…板バネ
２０…回転軸周りの隙間
２１…回転軸
２２…支持枠
２２ａ…補強用縁部
２３…固定軸
２４…ナット
２５…軸受
２６…支持プレート
２６ａ…ネジ
２７…支持アーム
２８…巻回バネ
２９…減速機フレーム
３０…減速機
３１…電動モータ
３２…回転アーム
３３…連結アーム
３４…軸
３５…突出片
３６…リミットスイッチ
４０…載置台
４１…天井面
４２…壁面
４３…ブラケット
【図１】
2004304679.tif 000003
【図２】
2004304679.tif 000004
【図３】
2004304679.tif 000005
【図４】
2004304679.tif 000006
【図５】
2004304679.tif 000007
【図６】
2004304679.tif 000008
【図７】
2004304679.tif 000009
【図８】
2004304679.tif 000010
【図９】
2004304679.tif 000011
【図１０】
2004304679.tif 000012
【図１１】
2004304679.tif 000013
【図１２】
2004304679.tif 000014
【図１３】
2004304679.tif 000015
【図１４】
2004304679.tif 000016